(57)【要約】【課題】ラックユニットに上下複数段に配置した段毎の光接続モジュールに対応した配線保持棚を設けたラックユニットの配線保持棚を提供する。【解決手段】光接続モジュール２を上下複数段に配置したラックユニット１において、光接続モジュール２に入出配線する光ケーブルを保持する配線保持棚３を各段の光接続モジュール２に対応させて各別に上下回動自在に設ける。【選択図】図１
2007093760.tif 000002
【特許請求の範囲】
【請求項１】
光接続モジュールを上下複数段に配置したラックユニットにおいて、光接続モジュールに入出配線する光ケーブルを保持する配線保持棚を各段の光接続モジュールに対応させて各別に上下回動自在に設けたことを特徴とするラックユニットの配線保持棚。
【請求項２】
各配線保持棚は、保持棚本体の両側に腕板部を連設し、該腕板部は内側に撓む横長撓み片を設けるとともに、該横長撓み片にはラックユニットの側板部に設けたストッパピンに係合するストッパ部を設けた請求項１に記載のラックユニットの配線保持棚。
【発明の詳細な説明】
【技術分野】
【０００１】
本発明は、光ケーブルの接続・分岐をする光接続モジュールを多数個収納したラックユニットの配線保持棚に関するものである。
【背景技術】
【０００２】
光ケーブルの接続・分岐をする光接続モジュールを多数個収納したラックユニットは光接続モジュールに入出配線する光ケーブルを一定以上の曲率半径とするためと不意にテンションが係るのを防止する観点から配線保持棚を設けている。このようなものとしては、光接続部を上下に多数配設したラックユニット毎に対応して配線保持するための収納部を上方向に回動可能に設けたものが特開平１１−１３３２４４号公報（特許文献１）として知られている。
【０００３】
ところが、これは上下複数段の光接続部を収納したラックユニットの前方に配線保持棚としての収納部を一段設け、上下の光接続部の前後方向に入出配線した光コードを混在させて保持するものであるため配線をたどり目的の光接続部と接続している光ケーブルを引き出すのに手間取る問題がある。
【０００４】
また、これは収納部を上方向にのみ回動するものであるため、収納部を通常時は対応するラックユニットの底面より下方に位置させておき、配線作業時に上方のラックユニットの収納部を上方に回動させることにより下方のラックユニットの前方を開放状態として光接続部への光コードの接続・切替作業を行うための作業スペースを形成するものとしている。そのため、このようなラックユニットの下方に上部前面に操作部を組込んだラックユニットを配置した場合に機器操作部の前面に上部のラックユニット収納部が位置することとなり操作部の操作の障害となる問題がある。
【特許文献１】特開平１１−１３３２４４号公報（段落0017〜0020及び図５、図６）
【発明の開示】
【発明が解決しようとする課題】
【０００５】
本発明は前記のような問題点を解決して、ラックユニットに上下複数段に配置した段毎の光接続モジュールに対応した配線保持棚を設けたラックユニットの配線保持棚を提供することを目的として完成されたものである。
【課題を解決するための手段】
【０００６】
本発明のラックユニットの配線保持棚は、光接続モジュールを上下複数段に配置したラックユニットにおいて、光接続モジュールに入出配線する光ケーブルを保持する配線保持棚を各段の光接続モジュールに対応させて各別に上下回動自在に設けたことを特徴とするものを基本の発明とする。そして、この発明において、各配線保持棚は、保持棚本体の両側に腕板部を連設し、該腕板部は内側に撓む横長撓み片を設けるとともに、該横長撓み片にはラックユニットの側板部に設けたストッパピンに係合するストッパ部を設けることが好ましい。
【発明の効果】
【０００７】
前記のような本発明は、光接続モジュールに入出配線する光ケーブルを保持する配線保持棚を各段の光接続モジュールに対応させて各別に設けたものであるから、目的の光ケーブルを引き出すことが容易となる。また、各配線保持棚は上下回動自在に設けたものであるから、該光接続モジュールに対応する配線保持棚を下方に回動させれば光接続モジュールの前方は開放されるので光接続モジュールを引き出して光接続モジュールによる光ケーブル同士の接続、分岐するため光ケーブルを光接続モジュールへの接続作業を行うことができる。この場合に、上方に位置する光接続モジュールに対応する配線保持棚を上方に回動すれば、前記引き出す光接続モジュールの前方上方も開放された状態となるので、接続作業スペースが広くなり作業が容易になるものである。
【０００８】
さらに、配線保持棚が通常時にはラックユニットの下方に突出することがないので、下方のラックユニットに影響を与えることがないので、上部前面に機器操作部を組込んだラックユニットを配置した場合においてもこの機器操作部の前面に上部のラックユニットに対応する配線保持棚が位置しないので、種々のラックユニットを組み合わせて使用できるものである。また、各配線保持棚を、保持棚本体の両側に腕板部を連設し、該腕板部は内側に撓む横長撓み片を設けるとともに、該横長撓み片にはラックユニットの側板部に設けたストッパピンに係合するストッパ部を設けたものとすると、特別な部品を追加することなく簡単な構造でストッパピンとストッパ部との係合を解除する機構を提供することができるものである。
【発明を実施するための最良の形態】
【０００９】
次に、本発明の好ましい実施の形態を図面に基づき説明する。
１はラックユニットであり、該ラックユニット１には光ケーブル１００同士の接続、分岐するため光接続モジュール２が横方向に多数配置するとともに上下に複数段すなわち２段にして配置されている。３は配線保持棚であり、該配線保持棚３はラックユニット１に上下に複数段に配置した各段毎の光接続モジュール２に対応して複数すなわち２基設けられている。
【００１０】
なお、図示のラックユニット１は図１に示すように底板部１１の両側上部に側板部１２、１２を連設し、底板部１１の上面に図２及び図５に示すように上下に光接続モジュール２を引き出し自在とした前面及び上面を開放した箱型のホルダー１３を両側板部１２、１２間に多数すなわち５個を並設して、全ホルダー１３の上面を図７に示すように一枚板の天板部１４により閉塞するものとしている。そして、該ラックユニット１は両側板部１２、１２の外側に取り付けた取付金具１５、１５により電子機器用ラックに上下段積状として取り付けられるものである。
【００１１】
また、光接続モジュール２を箱型のホルダー１３から引き出し自在とする手段としては、図５に示すようにホルダー１３の左右板部１３ａ、１３ａの内面にスライド受１３１を設け、該スライド受１３１に光接続モジュール２の側面に前後方向に設けたスライド溝２ａを摺動自在に嵌合したものとしている。また、光接続モジュール２は図示を略したがスプリッタ、カプラを内蔵して前面に設けた入線用アダプタ２１から引き込んだ光ケーブルを接続・分岐して前面に設けた出線用アダプタ２２から引き出すものとしている。
【００１２】
また、前記各配線保持棚３は、図３に示すように光接続モジュール２への入線用及び出線用の光ケーブルを保持する保持棚本体３１の両側に後方に向け腕板部３２、３２を連設したもので、両腕板部３２、３２の基端側に形成した軸部３２ａをラックユニット１の両側板部１２、１２に軸支して上下回動自在とし、通常状態では保持棚本体３１が光接続モジュール２の前方位置において停止できるものとしている。すなわち、腕板部３２は基端軸部３２ａをラックユニット１の側板部１２に設けた支軸部１２ａに軸支し、先方に細長横Ｕ字の切り込みにより形成した横長撓み片３２ｂの下端にストッパ部３２１を設けて、該ストッパ部３２１を側板部１２の前方に設けたストッパピン１２ｂに支持させて通常時は保持棚本体３１を光接続モジュール２と同一高さに保持させるものとしている。
【００１３】
そして、保持棚本体３１を光接続モジュール２と通常時の同一高さから下方に回動するには、撓み片３２ｂを手指により内側に撓ませてストッパ部３２１のストッパピン１２ｂへの係止を解除して基端軸部３２ａを中心に下向きに回動させ、回動させた後に撓み片３２ｂの手指による撓ませを解除して、腕板部３２の横長撓み片３２ｂの上辺に対向した内縁に形成した上部ストッパ部３２２に側板部１２に設けたストッパピン１２ｂを支持させて回動を停止して配線保持棚３を下方回動位置に保持させるものである。
【００１４】
また、保持棚本体３１を光接続モジュール２と通常時の同一高さから上方に回動するには、保持棚本体３１を上方に押し上げれば、ストッパピン１２ｂはその上端部によりストッパ部３２１を保持しているのにすぎないから撓み片３２ｂを撓ませることなく基端軸部３２ａを中心に上向きに回動できるものである。なお、前記配線保持棚３の両腕板部３２、３２の基端側に形成した軸部３２ａは上下に二つ設けて、ラックユニット１の上方に位置する配線保持棚３は上部の軸部３２ａを、ラックユニット１の下方に位置する配線保持棚３は下部の軸部３２ａをもって両側板部１２、１２に軸支しているが、これは、ラックユニット１の側板部１２、１２と取付金具１５、１５との取付ネジの先端を支軸部１２ａに形成したものであるためラックユニット１の上下に同一形状の配線保持棚３を使用できるものとするためである。従って、軸部３２ａは上下回動自在に軸支できるものであればどのような位置であってもよいものである。
【００１５】
さらに、図示のものは前記のとおりラックユニット１に上下２段に光接続モジュール２を配置し、これ対応させて２基の配線保持棚３を設けたものであるが、上下３段に光接続モジュール２をこの段毎の光接続モジュール２に対応して配線保持棚３を３基設けてもよく、さらに、光接続モジュール２を４段以上としてこれに対応させて配線保持棚３を各段毎に設けたものであってもよい。
【００１６】
このように構成されたものは、ラックユニット１に上下に複数段配置した光接続モジュール２に対応して配線保持棚３を上下回動自在に設けたものであるから、該光接続モジュール２に対応する配線保持棚３を下方に回動させれば光接続モジュール２の前方は開放されるので光接続モジュール２を引き出して光接続モジュール２に光ケーブルを接続して光ケーブル同士の接続、分岐することができる。この場合に、上方に位置する光接続モジュール２に対応する配線保持棚３を上方に回動すれば、前記引き出す光接続モジュール２の前方上方も開放された状態となるので、接続作業スペースが広くなり作業が容易になるものである。
【００１７】
また、ラックユニット１に上下に複数段に光接続モジュール２を収納しているが、各段毎の光接続モジュール２に対応して配線保持棚３を設けているので、目的の光ケーブルを引き出すことが容易となる。さらに、配線保持棚３がラックユニット２の下方に突出することがないので、下方のラックユニットに影響を与えることがないので上部に機器操作部を設けたのラックユニットであっても組み合わせて使用できるものである。また、各配線保持棚３は、保持棚本体３１の両側に腕板部３２、３２を連設し、該腕板部３２は内側に撓む横長撓み片３２ｂを設けるとともに、該横長撓み片３２ｂにはラックユニット１の側板部１２に設けたストッパピン１２ｂに係合するストッパ部３２１を設けたので、特別な部品を追加することなく簡単な構造でストッパピン１２ｂとストッパ部３２１との係合を解除する機構を提供することができるものである。さらに、横長撓み片３２ｂは手指により内側に撓ませて操作するものであるから、作業性のよいものである。
【図面の簡単な説明】
【００１８】
【図１】本発明の実施形態を一部のホルダーを外したラックユニットと配線保持棚の関係を表した斜視図。
【図２】本発明の実施形態をラックユニットと配線保持棚の関係を表した斜視図。
【図３】配線保持棚の一例を示す斜視図。
【図４】配線保持棚の一例を示す側面図。
【図５】ラックユニットに組込んだホルダーと光接続モジュールを示す斜視図。
【図６】本発明の実施形態のストッパピンを示す斜視図。
【図７】本発明の実施形態を示す斜視図。
【図８】本発明の実施形態を示す側面図。
【図９】本発明の実施形態を配線保持棚を回動させて示す斜視図。
【図１０】本発明の実施形態を配線保持棚を回動させて示す側面図。
【図１１】複数のラックユニットを段積みして示す斜視図。
【符号の説明】
【００１９】
１  ラックユニット
２  光接続モジュール
３  配線保持棚
【図１】
2007093760.tif 000003
【図２】
2007093760.tif 000004
【図３】
2007093760.tif 000005
【図４】
2007093760.tif 000006
【図５】
2007093760.tif 000007
【図６】
2007093760.tif 000008
【図７】
2007093760.tif 000009
【図８】
2007093760.tif 000010
【図９】
2007093760.tif 000011
【図１０】
2007093760.tif 000012
【図１１】
2007093760.tif 000013